(57)【特許請求の範囲】
【請求項１】
足裏の全面または略全面を覆う底部を備え、
前記底部は、足裏の略全面に配置される弾性部材と、前記弾性部材の全体を被覆すると共に前記弾性部材よりも高い吸水性を有する布とを有し、前記弾性部材と前記布とが接着されており、
足指付け根に位置する前記弾性部材の厚みは、他の領域に位置する前記弾性部材の厚みよりも大きいことを特徴とする、ハイヒールまたはパンプス用の靴下。
【請求項２】
前記弾性部材はスポンジであり、
前記布は綿を含むことを特徴とする、請求項１に記載の靴下。
【請求項３】
母指球から他の足指の付け根に渡って伸びるように位置する部分における前記弾性部材の厚みが、他の領域に位置する前記弾性部材の厚みよりも大きいことを特徴とする、請求項１または２に記載の靴下。
【請求項４】
足指付け根に位置する前記弾性部材が、足裏に面する方向に隆起していることを特徴とする、請求項１〜３のいずれか１項に記載の靴下。
【発明の詳細な説明】
【技術分野】
【０００１】
本発明は、靴下に関する。
【背景技術】
【０００２】
従来より、ハイヒール、パンプスなどの靴を履くときに、靴擦れや汗蒸れなどを防止するために、靴下を履くことがある。このような靴下として、例えば、特表平１０−５１２３３２号公報（特許文献１）、特開２００６−２４９６２３号公報（特許文献２）などが挙げられる。
【０００３】
特許文献１には、ニット・ストッキングと、このニット・ストッキングと着用者の足との間に位置するフット・プロテクタとを備え、フット・プロテクタは着用者の足の母指球部分にだけ厚くされた緩衝領域を有する靴下が開示されている。
【０００４】
特許文献２には、靴下本体の内側の足の裏全体、または足の裏の部分的な範囲に弾力性のある素材からなるプレート状物が設けられ、このプレート状物が靴下の内側の足の裏の曲面に沿って付設したポケットに出入自在とした靴下が開示されている。
【先行技術文献】
【特許文献】
【０００５】
【特許文献１】特表平１０−５１２３３２号公報
【特許文献２】特開２００６−２４９６２３号公報
【発明の概要】
【発明が解決しようとする課題】
【０００６】
しかしながら、上記特許文献１のフット・プロテクタは緩衝領域を有しているが、緩衝領域は母指球部分にのみ形成されているので、履き心地が十分でない場合がある。また、上記特許文献１では、緩衝領域はニット・ストッキングにナイロン糸で編み込まれることで形成されているので、汗蒸れを十分に抑制することができない。
【０００７】
また、上記特許文献２の靴下では、プレート状物がポケットに出入自在であるので、プレート状物がポケットに入った状態で靴を履いて歩くと、プレート状物が移動する場合がある。このため、特許文献２の靴下では、履き心地が十分でない場合がある。
【０００８】
本発明は、上記問題点に鑑み、汗蒸れを抑制するとともに、履き心地を向上する靴下を提供することを課題とする。
【課題を解決するための手段】
【０００９】
本発明のハイヒールまたはパンプス用の靴下は、足裏の全面または略全面を覆う底部を備え、底部は、足裏の略全面に配置される弾性部材と、この弾性部材の全体を被覆すると共に弾性部材よりも高い吸水性を有する布とを有し、弾性部材と布とが接着されており、足指付け根に位置する前記弾性部材の厚みは、他の領域に位置する前記弾性部材の厚みよりも大きいことを特徴とする。
【００１０】
本発明の靴下によれば、底部は弾性部材よりも高い吸水性を有する布を有するため、汗蒸れを抑制できる。
また、足裏の全面または略全面を覆う底部は、足裏の略全面に配置される弾性部材を有しており、かつ、布と弾性部材とが接着されているので、本発明の靴下を履いて歩く等の動作時に弾性部材が移動することを防止できる。このため、履き心地を向上できる。
加えて、一般的に、パンプス等の靴を履いたときに、着用者が痛みを感じやすい箇所は足指付け根であるので、靴下においてこの領域に対応する弾性部材の厚みを他の領域よりも厚くすることで、履き心地をより向上できる。
よって、本発明によれば、汗蒸れを抑制するとともに、履き心地を向上するハイヒールまたはパンプス用の靴下を提供することができる。
【００１１】
ここで、上記「底部」は、足裏の全面を覆っている場合と、足裏の略全面を覆っている場合とを含む。
【００１２】
本発明の靴下において好ましくは、上記弾性部材はスポンジであり、上記布は綿を含むことを特徴とする。
【００１３】
スポンジはクッション性に優れるので、履き心地をより向上できる。綿は吸水性に優れるので、汗蒸れをより抑制できる。
【発明の効果】
【００１６】
本発明の靴下によれば、汗蒸れを抑制するとともに、履き心地を向上する靴下を提供することができる。
【図面の簡単な説明】
【００１７】
【図１】本発明の実施の形態における靴下を概略的に示す平面図である。
【図２】本発明の実施の形態における靴下を概略的に示す側面図である。
【図３】本発明の実施の形態における靴下の底部の内周側を概略的に示す底面図である。
【図４】図１〜図３におけるＩＶ−ＩＶ線に沿った断面図である。
【図５】本発明の実施の形態における靴下を着用した状態を概略的に示す側面図である。
【発明を実施するための形態】
【００１８】
以下、図１〜図５を参照して、本発明の一実施の形態における靴下について説明する。なお、図１〜図５は、右足用の靴下を図示している。
【００１９】
図１〜図３に示すように、本実施の形態における靴下１００は、底部１１０と、この底部１１０と接続された側部１２０と、底部１１０と側部１２０とが縫合された縫合部１３０と、側部１２０と縫合された履き口部１４０とを備えている。
【００２０】
底部１１０は、足裏全体を覆う。なお、底部１１０は、足裏の全面を覆っていてもよく、足裏の略全面を覆っていてもよい（図５参照）。
【００２１】
図４に示すように、底部１１０は、弾性部材１１０ａと、この弾性部材１１０ａの全体を被覆する布１１０ｂとを有している。底部１１０において、弾性部材１１０ａと布１１０ｂとは接着されている。つまり、弾性部材１１０ａと布１１０ｂとは、接着剤により接着されており、弾性部材１１０ａと布１１０ｂとの間には接着層が形成されている。弾性部材１１０ａの表面及び裏面全体に接着層は形成されていてもよく、弾性部材１１０ａの表面及び裏面の少なくとも一部に接着層は形成されていてもよい。弾性部材１１０ａが布１１０ｂ内で移動することを十分に抑制する観点から、弾性部材１１０ａの表面及び裏面全体に接着層が形成されていることが好ましい。
【００２２】
さらに本実施の形態では、弾性部材１１０ａと布１１０ｂとは、それぞれの外周側で縫合されている。図１〜図４に示すように、弾性部材１１０ａと布１１０ｂとが縫合される領域は、縫合部１３０を形成している。このように、本実施の形態では、弾性部材１１０ａと布１１０ｂとは接着・縫合されている。
【００２３】
弾性部材１１０ａは、クッション性を有する部材であり、スポンジであることが好ましい。弾性部材１１０ａには、通気性を高めるために、穴が形成されていてもよい（図示せず）。穴は１つであってもよく、複数であってもよい。また、弾性部材１１０ａにおいて、穴は、全体に形成されていてもよく、部分的に形成されていてもよい。穴が部分的に形成されている場合には、通気性をより高める観点から、弾性部材１１０ａにおいて相対的に厚みが大きい箇所に形成されていることが好ましい。
布１１０ｂは、弾性部材１１０ａよりも高い吸水性を有しており、吸水性繊維で構成され、綿を含んでいることが好ましく、綿１００％であることがより好ましい。
弾性部材１１０ａ及び布１１０ｂは、単一の材料で構成されていてもよく、複数の材料（複数層）で構成されていてもよい。
【００２４】
図３及び図４に示すように、足指付け根（母指球）に位置する底部１１１を構成する弾性部材の厚み及び／または土踏まずに位置する底部１１２を構成する弾性部材の厚みは、他の領域に位置する弾性部材の厚みよりも大きい。言い換えると、足指付け根に沿うように形成された弾性部材の厚み及び／または土踏まずに沿うように形成された弾性部材の厚みは、他の領域に位置する弾性部材の厚みよりも大きい。
【００２５】
具体的には、図３に示すように、足指付け根に位置する底部１１１を構成する弾性部材の厚みは、指先に位置する底部１１１を構成する弾性部材の厚みよりも大きい。
図４に示すように、土踏まずに位置する底部１１２を構成する弾性部材の厚みは、土踏まずの外側に位置する底部を構成する弾性部材の厚みよりも大きい。また、図２に示すように、土踏まずに位置する底部１１２を構成する弾性部材の厚みは、かかとに位置する底部を構成する弾性部材の厚みよりも大きい。
また、足指付け根に位置する弾性部材の厚みと指先に位置する弾性部材の厚みとの差は、土踏まずに位置する弾性部材の厚みと土踏まずの外側に位置する弾性部材の厚みとの差よりも大きい。
【００２６】
底部１１０と接続された側部１２０は、足の甲の少なくとも一部を覆う。底部１１０と側部１２０との接続手段は特に限定されないが、例えば縫合により接続されている。
側部１２０の下端は、弾性部材１１０ａ及び布１１０ｂを含む底部１１０の外周縁と縫合されている。つまり、側部１２０と、弾性部材１１０ａと、布１１０ｂとで、縫合部１３０を構成している。
側部１２０は、例えば、連続した布で形成され、この布が背面側で縫合された接続領域１２１を有している。
【００２７】
側部１２０は、底部１１０の厚みよりも薄い。
側部１２０は、薄手の布であることが好ましく、例えば、綿、アクリル、ナイロン、及びウレタンの内の少なくとも１種を含む布である。
【００２８】
側部１２０と縫合された履き口部１４０は、足を挿入する入り口である。履き口部１４０は、例えばゴムと、このゴムを被覆したレース等の布とを有している。
【００２９】
続いて、図１〜図５を参照して、本実施の形態における靴下１００の効果について説明する。
【００３０】
図１及び図２に示す靴下１００の履き口部１４０から足を挿入して、靴下１００を履くと、図５に示すように、底部１１０は足裏の略全体を覆う。この底部１１０は弾性部材１１０ａを有しているので、足裏の略全面において弾性部材１１０ａが配置され、かつ、側部１２０と縫合された布１１０ｂと、弾性部材１１０ａとが接着されているので、靴下１００を履いて歩いた場合であっても弾性部材１１０ａが移動することを防止できる。このため、靴下１００の履き心地を向上できる。
また、底部１１０は弾性部材１１０ａよりも吸水性を有する布１１０ｂを有するため、汗を吸水できるので、靴下１００を装着して靴を履いた状態等において、汗蒸れを抑制できる。
よって、本実施の形態の靴下１００によれば、汗蒸れを抑制できるとともに、履き心地を向上できる。
【００３１】
なお、本実施の形態の靴下１００を履くことにより、靴と足との間に靴下１００が位置するため、靴擦れを抑制できる。
【００３２】
本実施の形態において、弾性部材１１０ａはスポンジであり、上記布１１０ｂは綿を含むことが好ましい。スポンジはクッション性に優れるので、履き心地をより向上できる。綿は吸水性に優れるので、通気性を向上できるとともに、汗蒸れをより抑制できる。
【００３３】
本実施の形態では、図５に示すように、足指付け根に位置する弾性部材の厚み及び／または土踏まずに位置する弾性部材の厚みは、他の領域に位置する弾性部材１１０ａの厚みよりも大きい。このように、底部１１０は、パンプス等の靴を履いたときに、着用者が痛みを感じやすい箇所に位置する弾性部材１１０ａの厚みが大きい、立体的な構造を有しているので、履き心地をより向上することができる。
また、足指付け根に位置する弾性部材の厚みが他の領域に位置する弾性部材の厚みよりも大きい場合、靴下１００を装着して靴を履いて歩く等の動作時には、足が靴の中ですべることを抑制できるので、靴擦れをより抑制できる。
【００３４】
また、本実施の形態の靴下１００は、弾性部材１１０ａ、布１１０ｂ、及び側部１２０が縫合された縫合部１３０を備えている。これにより、底部１１０が足裏全体を被覆でき、かつ側部１２０が足の甲を安定して保持できる。このため、靴下１００を着用して歩く等の動作時に、靴下１００が脱げにくくなる。
【００３５】
ここで、本実施の形態では、靴下として、足の甲側が多く露出するフットカバーを例に挙げて説明したが、本発明の靴下はフットカバーに限定されない。本発明の靴下は、甲の全体を覆うソックス、ハイソックス、ストッキング等を含む。
【００３６】
今回開示された実施の形態すべての点で例示であって制限的なものではないと考えられるべきである。本発明の範囲は上記した実施の形態ではなくて特許請求の範囲によって示され、特許請求の範囲と均等の意味及び範囲内でのすべての変更が含まれることが意図される。
【符号の説明】
【００３７】
１００  靴下、１１０，１１１，１１２  底部、１１０ａ  弾性部材、１１０ｂ  布、１２０  側部、１２１  接続領域、１３０  縫合部、１４０  履き口部。
【図１】
0005677914.tif 000002
【図２】
0005677914.tif 000003
【図３】
0005677914.tif 000004
【図４】
0005677914.tif 000005
【図５】
0005677914.tif 000006